(57)【要約】【課題】電子商取引を可能にする方法、装置およびシステムを提供する。【解決手段】データ処理システムにおける方法はユーザに可読フォーマットの販売者情報を表示するステップからなる。次に、販売者情報は読み込まれ、サーバに送信される。サーバは、サーバから販売者情報と関連する販売者データを読み出し、販売者出力を構築するために販売者データを販売者情報と比較する。その後、サーバは販売者出力をユーザに送信する。ユーザは、サーバに対して取引を実行し、ここで取引は販売者出力への応答に基づく。データ処理システムは、販売者情報を読み取るように構築された読取部を有する携帯機器からなる。携帯機器と通信するサーバは、携帯機器から販売者情報を受信して、メモリに保存された販売者データと販売者情報を比較する。サーバと通信するプロセッサは、販売者情報と販売者データとの比較に基づいて、販売者編集プログラムに販売者出力を構築するように指示する。【選択図】図１
2007514985.tif 000002
【特許請求の範囲】
【請求項１】
ユーザに可読フォーマットで販売者情報を表示し、
販売者情報を読み取り、
販売者情報をサーバに送信し、
サーバから販売者情報と関連した販売者データを読み出し、
販売者データを販売者情報と比較して販売者出力を構築し、
販売者出力をユーザに送信し、及び
販売者出力に応答して、ユーザによってサーバとの取引を実行するステップからなる、データ処理システムにおける方法。
【請求項２】
販売者情報はコマーシャル・コードを含むことを特徴とする請求項１記載のデータ処理システムにおける方法。
【請求項３】
販売者情報の読み取りは、コマーシャル・コードをサーバによって読み取り可能に翻訳することを含むことを特徴とする請求項２記載のデータ処理システムにおける方法。
【請求項４】
可読フォーマットは電子可読フォーマットであることを特徴とする請求項１記載のデータ処理システムにおける方法。
【請求項５】
可読フォーマットは機械可読フォーマットであることを特徴とする請求項１記載のデータ処理システムにおける方法。
【請求項６】
販売者情報の読み取りは携帯機器で販売者情報をデジタル的に取得することを含むことを特徴とする請求項１記載の記載のデータ処理システムにおける方法。
【請求項７】
携帯機器は携帯電話であることを特徴とする請求項６記載のデータ処理システムにおける方法。
【請求項８】
販売者出力の送信は、携帯機器から出力された販売者出力をユーザに対して視覚的に表示することを含むことを特徴とする請求項６記載のデータ処理システムにおける方法。
【請求項９】
販売者データと販売者情報との比較は、サーバに保存された販売者情報とサーバに保存されたユーザデータを比較することを更に含むことを特徴とする請求項１記載のデータ処理システムにおける方法。
【請求項１０】
販売者データは販売者情報のための最低価格を含むことを特徴とする請求項１記載のデータ処理システムにおける方法。
【請求項１１】
販売者出力の構築は、特定の販売者に最低価格を関連させることを含む請求項１０記載のデータ処理システムにおける方法。
【請求項１２】
ユーザに電子可読フォーマットで販売者情報を表示し、
販売者情報を電子的に読み取り、
販売者情報をサーバに送信し、サーバは販売者出力に応答して販売者出力を構築し、及び
サーバによって構築された販売者出力を受信し、ユーザは販売者出力に応答してサーバとの取引を実行するステップからなる方法を、データ処理システムに実行させる指示によってエンコードされる電子可読媒体装置。
【請求項１３】
ユーザからサーバに課金情報を送信するステップを更に含むことを特徴とする請求項１２記載の方法をデータ処理システムに実行させる指示によってエンコードされる電子可読媒体装置。
【請求項１４】
販売者情報の電子的読み取りは、携帯機器によって販売者情報をデジタル的に取得することを含むことを特徴とする請求項１２記載の方法をデータ処理システムに実行させる指示によってエンコードされる電子可読媒体装置。
【請求項１５】
携帯機器は携帯電話であることを特徴とする請求項１４記載の方法をデータ処理システムに実行させる指示によってエンコードされる電子可読媒体装置。
【請求項１６】
販売者出力の受信はユーザに対して携帯機器からの販売者出力を視覚的に表示することを含むことを特徴とする請求項１５記載の方法をデータ処理システムに実行させる指示によってエンコードされる電子可読媒体装置。
【請求項１７】
ユーザから販売者情報を受信し、
販売者情報に応答して販売者出力を構築し、及び
構築された販売者出力をユーザに送信し、ユーザは販売者出力に応答して取引を実行するステップからなることを特徴とする方法をデータ処理システムに実行させる指示によってエンコードされる電子可読媒体装置。
【請求項１８】
ユーザに電子可読フォーマットで販売者情報を表示するステップを更に含むことを特徴とする請求項１７記載の方法をデータ処理システムに実行させる指示によってエンコードされる電子可読媒体装置。
【請求項１９】
販売者情報を電子的に読み取ることを更に含むことを特徴とする請求項１８記載の方法をデータ処理システムに実行させる指示によってエンコードされる電子可読媒体装置。
【請求項２０】
販売者情報の電子的読み取りは、携帯機器によって販売者情報をデジタル的に取得することを含むことを特徴とする請求項１９記載の方法をデータ処理システムに実行させる指示によってエンコードされる電子可読媒体装置。
【請求項２１】
携帯機器は携帯電話であることを特徴とする請求項１７記載の方法をデータ処理システムに実行させる指示によってエンコードされる電子可読媒体装置。
【請求項２２】
販売者出力の受信はユーザに対して携帯機器からの販売者出力を視覚的に表示することを含むことを特徴とする請求項２２記載の方法をデータ処理システムに実行させる指示によってエンコードされる電子可読媒体装置。
【請求項２３】
販売者情報を読み取るように構築された読取部を有する携帯機器と、
携帯機器から販売者情報を受信し、販売者情報をメモリに保存された販売者データと比較する販売者編集プログラムを含むメモリを有し、携帯機器と通信するサーバと、及び
販売者編集プログラムを制御するサーバと通信し、販売者情報と販売者データとの比較に基づいて販売者出力を構築することを販売者編集プログラムに指示するプロセッサからなることを特徴とするデータ処理システム。
【請求項２４】
携帯機器は携帯電話であることを特徴とする請求項２３記載のデータ処理システム。
【請求項２５】
読取部はデジタル・カメラであることを特徴とする請求項２３記載のデータ処理システム。
【請求項２６】
読取部は無線周波数ＩＤタグであることを特徴とする請求項２３記載のデータ処理システム。
【請求項２７】
読取部はデジタル的に販売者情報を取得するように構成されることを特徴とする請求項２３記載のデータ処理システム。
【請求項２８】
販売者情報はコマーシャル・コードであることを特徴とする請求項２３記載のデータ処理システム。
【請求項２９】
読取部はコマーシャル・コードを翻訳するように構成されることを特徴とする請求項２８記載のデータ処理システム。
【請求項３０】
携帯機器およびサーバは互いにワイヤレスで通信するように構成されることを特徴とする請求項２３記載のデータ処理システム。
【請求項３１】
サーバは販売者出力を携帯機器に送信するように構成されることを特徴とする請求項２３記載のデータ処理システム。
【請求項３２】
メモリはユーザデータを含むことを特徴とする請求項２３記載のデータ処理システム。
【請求項３３】
ユーザデータはユーザに関する課金情報を含むことを特徴とする請求項３２記載のデータ処理システム。
【請求項３４】
販売者編集プログラムは販売者出力を構築するために販売者情報をユーザデータと比較するように構成されることを特徴とする請求項２３記載のデータ処理システム。
【請求項３５】
販売者製品から販売者情報を電子的に読み取り、
送信可能な販売者情報を作成するために販売者情報を解釈し、
解釈された販売者情報をサーバに送信し、
解釈された販売者情報をサーバに送信した後で、サーバから販売者出力を受信し、読み出された販売者データと販売者情報を比較することによって販売者出力が生成され、及び
販売者出力に基づく取引のユーザ実行を検出するステップからなる、ディスプレイ装置、プロセッサおよびプロセッサに接続されたメモリを含む携帯機器において、電子商取引を可能にする方法。 
【請求項３６】
販売者情報はコマーシャル・コードを含むことを特徴とする請求項３５記載の携帯機器における方法。 
【請求項３７】
販売者情報の電子的読み取りは携帯機器によって販売者情報をデジタル的に取得することを含むことを特徴とする請求項３５記載の携帯機器における方法。
【請求項３８】
携帯機器は携帯電話であることを特徴とする請求項３５の携帯機器における方法。
【請求項３９】
販売者情報を読み取るように構築された読取部を有する携帯機器と、及び
プロセッサおよびプロセッサに接続されたメモリを有し、携帯機器と通信するサーバからなり、プロセッサは、
携帯機器から販売者情報を受信し、
販売者情報の受信に応答して販売者情報に関連した販売者データを読み出し、
販売者出力を構築するために販売者編集プログラムを介して販売者データと販売者情報とを比較させ、及び
携帯機器に販売者出力を送信し、販売者出力は販売者製品を購入する取引をユーザが選択的に実行することを可能にするように構成されていることを特徴とするデータ処理システム。
【請求項４０】
携帯機器は携帯電話であることを特徴とする請求項３９記載のデータ処理システム。
【請求項４１】
読取部はデジタル・カメラであることを特徴とする請求項３９記載のデータ処理システム。
【請求項４２】
読取部は販売者情報をデジタル的に取得するように構成されることを特徴とする請求項３９記載のデータ処理システム。
【発明の詳細な説明】
【技術分野】
【０００１】
本出願は、２００３年９月５日に出願された「機械可読コード使用可能な電子商取引用携帯機器のための装置、システム及び方法」という名称を有する米国仮出願番号第６０／５００，７８２号、及び２００４年９月２日に出願された「電子商取引を可能とする機械可読コード使用可能な装置のための方法、装置及びシステム」という名称を有する米国特許出願番号第ＸＸ／ＸＸＸ，ＸＸＸ号に基づく優先権を主張し、その内容の全体は参照することにより本出願に明示的に組み込まれる。 
【背景技術】
【０００２】
本出願の開示は、ユーザに操作される携帯機器によって情報を処理するための方法、装置及びシステムに関するものである。特に、本出願の開示は、取引がその情報に基づいて行われるサーバと取引を実行することを目的として、情報取得のために携帯機器を使用することに関するものである。
【０００３】
現在、例えばインターネットのようなサーバを介した電子商取引は、購入者と少なくとも一人の販売者との間の取引を可能としている。ある種の電子商取引において、販売者（例えば小売業者）はウェブサイトのようなサーバ上で購入者に製品および／または製品に関する情報を表示する。購入者は、コンピュータまたは個人用携帯情報端末（ＰＤＡ）を介して販売者情報にアクセスし、販売者によって表示された特定の製品を購入する許可を出す。
【０００４】
しかし、電子商取引においては、購入者が利用可能な製品は、販売者によってオンラインで特別に提供される製品に限定される。販売者は購入者にサーバ上でのみ利用可能な特定の製品へのアクセスを提供するが、これらの製品は特定の購入者にとって便利なサイクルで更新されないことがある。このように、特定の製品がサーバ上に表示されなかったために、販売者は取引を失う可能性がある。更に、販売者が特定の製品へのオンライン・アクセスのみを提供しているために、購入者がサーバに関連していない製品広告、例えば、新聞広告、定期的広告または製品パンフレットを見ている場合には、販売者は取引を失う可能性がある。 
【発明の開示】
【課題を解決するための手段】
【０００５】
本出願の開示は、ユーザに操作される携帯機器によって情報を処理するための方法、装置及びシステムに関するものである。実施例において、本出願の開示は、ユーザに操作される携帯機器に可読フォーマット形式で販売者情報を表示するステップを含む、データ処理システムにおける方法に関するものである。携帯機器は販売者情報を取得して、販売者情報をサーバに送信する。販売者情報を受信すると、サーバは販売者情報と関連する販売者データを検索する。次に、サーバは販売者出力を構築するために販売者データを販売者情報と比較する。販売者出力はユーザに送信され、ユーザは販売者出力に応答することに基づいて、サーバと取引を実行する。
【０００６】
他の実施例において、本出願の開示は、販売者情報を読み取り、販売者情報を取得するように構成された読取部を有する携帯機器を含むデータ処理システムに関するものである。システムは、更に、プロセッサおよびプロセッサに接続されたメモリを有するサーバを含む。サーバは、複数のうち１つの適切な方法により携帯機器と通信する。サーバは、追加のメモリおよび販売者編集プログラムを含みうるバックエンド(back-end)構造を含むことができる。携帯機器から販売者情報を受信すると、販売者編集プログラムを実行しているプロセッサは、メモリに保存された販売者データと販売者情報を比較する。販売者出力は、販売者情報と販売者データとの比較の結果、構築される、あるいは生成される。その後、携帯機器を介して受信された販売者データは、取引を実行するためにユーザによって利用されることができる。
【０００７】
追加の特徴は、以下の発明の詳細な説明および図面を考慮することによって当業者にとって明らかとなるであろう。
【発明を実施するための最良の形態】
【０００８】
本出願の開示は異なる形式の実施例を許容しうるものであり、本説明が開示の原理の実例とみなされ、開示を以下の説明に記載されるあるいは図面に例示される構造の詳細及び構成要素の配置に制限することを目的とするものではないという理解を伴って、実施例は、図面に示され、ここで詳細に説明されるものである。
【０００９】
本開示において、商品または役務が販売者情報等において名称をつけることができ、あるいは識別できる限り、「製品」という用語は商品に限定されるものではなく、同様に役務も含みうる。本出願の開示の装置は、情報を読み取り、処理することが可能な携帯機器に関するものである。本出願の開示は、携帯電話、個人用携帯情報機器、モバイル・コンピュータ、電子時計、携帯音楽プレーヤーまたは販売者情報を読み取るための専用の電子機器を含むが、これらに限定されるものではなく、いかなる携帯電子デバイスも利用する。更に、本出願の開示は、バーコード、文字認識、あるいは、例えばブルートゥース（登録商標）および無線周波数ＩＤタグのような適切な無線周波数通信方法を使用して送信されるコードを含むいかなるタイプの電気的コードまたは機械可読コードも含むが、これらに限定されるものではない、販売者情報に関するものでもある。
【００１０】
ここで図面を参照すると、図１は、本出願の開示によるデータ処理システム１０の実施例の図を示す。例えば購入用アイテムである、製品１２は、製品１２を識別するバーコードのような販売者情報１４を含む。販売者情報１４は、ユーザに対して電子フォーマットまたは機械可読フォーマットで構築され、表示される。ほとんどの商業的な販売業者が在庫および発注管理の目的のためにＵＰＣ（万国標準コード）バーコードを使用しているため、かかるバーコード・マーキングは遍在している。したがって、本出願開示のシステム１０は、かかる一般に利用可能なバーコード・システムと互換性を有する。
【００１１】
図示するように、システム１０は携帯機器１６を含み、携帯機器１６は販売者情報１４を読み取るように構成された読取部１８を含む。携帯機器１６は、いかなる市販の携帯電話を含んでもよい。読取部１８は、光学的機能を有するバーコード・リーダ、または販売者情報１４をデジタル的に取得し、翻訳ソフトウェアを使用して販売者情報１４を対応する英数字コードに変換することができるデジタル・カメラを含んでもよい。
【００１２】
実施例において、携帯機器１６および読取部１８は、携帯電話およびデジタル・カメラ、表示部、およびブラウザ・ソフトウェアを含んでもよく、実施例においては、表示部およびブラウザは複数の色を表示する６４０×４８０ピクセル（ＶＧＡ）の最小解像度を有することができる。携帯機器１６の使用は、ロック・コードまたはユーザ名およびパスワードといったなんらかの認証方法によって制御することができる。他の個人または特定のグループのための付加的な機密保護コードを携帯機器１６に割り当てることもできる。実施例において、携帯機器１６はデータ送信機能を有し、すなわち、データはテキスト・メッセージ機能、ウェブ・サーフィン機能およびデジタル音声取引機能によって送信することができる。
【００１３】
携帯機器１６は、サーバ２０と通信するためにデータ送信機能を使用する。実施例において、携帯機器１４およびサーバ１８は、ワイヤレスで互いに通信するように構成される。サーバ２０は、データベースシステムに接続できる販売者編集プログラム２２のようなバックエンド・インフラによってデータ要求を処理する周知の構造のコンピューターシステムまたはコンピュータ・ネットワークを含むことができる。サーバ２０によって又はともに使用される通信ネットワークはインターネットまたは他の私的ネットワークあるいはイントラネットであってもよい。サーバ２０は、販売者データ２６およびユーザデータ２８を保存するメモリ２４、および販売者編集プログラム２２のような様々なプログラムを実行するための少なくと他のプロセッサ３２（例えば、マイクロプロセッサ）を含む。販売者データ２６およびユーザデータ２８のためのデータベースは、ユーザの好み、販売者マッピング、製品−ＵＰＣマッピング等の情報およびユーザに関する課金情報３０のような他のデータを含む。販売者およびユーザデータ２６,２８は、ＸＭＬ等の業界標準プロトコルを備えることによって販売者がデータに連動できるように、設計される。更に、販売者データ２６は、ユーザにリアルタイムの情報を提供するために販売者によって動的に更新される。販売者編集プログラム２２はサーバ２０を介して携帯機器１６から販売者情報１４を受信するように構築され、販売者編集プログラム２２はメモリ２４に保存された販売者データ２６と販売者情報１４を比較するために実行される。
【００１４】
実施例において、サーバ２０は例えば、「匿名化」としても知られている、販売者がユーザを識別できないようにすること、製品マッチング、逆オークションの取り扱い、安全な取引の提供および安全な取引のための課金等の機能を提供する。サーバ２０は、また、販売者および消費者のアカウント管理用のウェブ・インターフェースを含んでもよい。サーバ２０は、名前、アドレス、クレジットカード番号あるいは電子財布情報のような支払情報、ユーザの購買傾向等のユーザデータ２８を、サーバ２０上に保存させるか、あるいは保存したコンピュータとネットワーク通信を行う。このように、ユーザデータ２８は、サーバ２０のメモリ２４に保存され、更にサーバ２０に送信することができる。
【００１５】
上記したように、サーバ２０は少なくと他のプロセッサ３２を含む。とりわけ、プロセッサ３２は、販売者情報１４と販売者データ２６との比較に基づいて、販売者編集プログラム２２に販売者出力３４を構築させるように構成される。その後、サーバ２０は販売者出力３４を携帯機器１６に送信し、携帯機器１６は販売者出力３４をユーザに中継するように構成される。実施例において、携帯機器１６は販売者出力３４をユーザに対して視覚的に表示してもよい。他の実施例では、携帯機器１６は販売者出力３４をユーザに音声で伝えてもよい。
【００１６】
図２を参照して、システム１０によりデータ２００を処理する方法が示される。使用中、製品１２に関する販売者情報１４は、ユーザに表示される機械可読バーコード等の可読フォーマットで表示される（ステップ２０２）。販売者情報１４は、様々なフォーマットで表示することができる。例えば、販売者情報１４は、製品１２のためのオンライン・リストのような、コンピュータ・スクリーン上の電子可読フォーマットで表示してもよい。あるいは、販売者情報１４は、新聞広告で、小売業者カタログで、購入表示のポイントで、あるいは商品陳列棚上でのバーコードとして表示してもよい。
【００１７】
ユーザに対して可読フォーマットで販売者情報１４を表示した後で、読取部１８は販売者情報１４を取得する（ステップ２０４）。その後、携帯機器１６は、読取部１８によって得られた販売者情報１４を英数字コードに翻訳してもよい。販売者情報１４を翻訳した後で、携帯機器１６は販売者情報１４をサーバ２０に送信する（ステップ２０６）。前述のように、送信は、いくつかの適切なプロトコルのうちの１つを使用するいくつかの適切な方法のうちの１つを介して、例えばブルートゥース（登録商標）・ワイヤレスリンクを使用して、実行してもよい。チェックサム比較のようなエラーチェックを、スキャンした販売者情報１４が読み取り可能で、サーバ２０によって使用できるか、あるいは例えばＵＰＣ標準のような適切な標準に準拠しているかどうかを確認するために実行してもよい。スキャンした販売者情報１４がＵＰＣシステム、または他の選択された製品同一性マッピング標準に準拠する場合、販売者情報２６からサーバ２０によって製品同一性を決定することができる。例えば、所在地、配送方法および課金情報といったユーザの好みは、ユーザデータ２８を参照して読み出すことができる。あるいは、ユーザデータ２８は携帯機器１６に保存し、携帯機器１６によって送信することができる。ユーザの好みは、周知のアカウント管理インターフェースを使用して調整することができる。
【００１８】
携帯機器１６から販売者情報１４を受信した後で、プロセッサ３２はメモリ２４から販売者データ２６を読み出し、その後販売者情報と販売者データを比較させる（ステップ２０８）。このようにして、製品１２に関する情報は、販売者情報１４に関連する販売者データ２６にアクセスすることで一名以上の販売者によって読み出されることができる。販売者データ２６は、製品、製品価格、製品の在庫の説明に関連するいかなる情報、あるいは、所在地、営業時間、および特記事項等の販売者に関する情報であってもよい。実施例において、販売者データ２６は、異なる販売者間の価格比較に有用であってもよい。比較は、価格に関するものだけであっても、あるいは、配送時間、サービスおよび保証等の他の要因を考慮に入れてもよい。上記のように、システムのデータ処理は、サービスに関するものでもよい。このように、サービスの特性における違いも同様に読み出すことができる。更に、販売者情報１４と販売者データ２６との比較は、ユーザデータ２８との比較を含んでもよい。使用中は、サーバ２０は、かかる要求が販売者に送信される前にユーザ要求を匿名化するように構成することができる。
【００１９】
販売者データ２６を販売者情報１４と比較した後に、プロセッサ３２は販売者編集プログラム２２に対して、販売者データ２６と販売者情報１４との比較に基づいて、販売者出力３４を構築するように指示する（ステップ２１０）。その後、販売者出力３４は、携帯機器１６に送信される（ステップ２１２）。実施例において、携帯機器１６は結果として生じた販売者出力３４をユーザに視覚的に表示することができる。他の実施例では、携帯機器１６はユーザに販売者出力３４を音声で伝えることができる。ユーザは、携帯機器１６から直接に、製品の注文、より詳細な情報の要求、あるいは製品１２に関する他の行為等の販売者出力３４に応答して取引３６を実行することができる（ステップ２１６）。方法は、安全な取引メカニズムを含んでもよく、クレジットカードあるいはデビットカードの使用、またはユーザへの請求を含む様々な支払方法の選択を提供してもよい。スキャンされたあるいは既に携帯機器１６に保存されたクーポン・コードは、取引３６を実行する際に処理されてもよい。図２で図示した実施例は、システム１０によってデータ処理２００を行う本発明の方法の一般的なステップを示しているが、以下の実施例は、電子商取引のために構成された携帯機器１６が機能しうる方法についての追加の実施例を提供する。
【００２０】
例えば、ショッピングの実施例においては、携帯機器１６を使用して、ショッピングの前に食料雑貨といった製品１２に関する販売者情報１４が、家庭でユーザによって取得される。製品１２の所望の数量は、携帯機器１６上の数字を押すことによって、あるいは同一の販売者情報１４を繰り返し、スキャン・読み取ることによって入力してもよい。販売者情報１４の画像は、販売者情報１４をサーバ２０に送信する携帯機器１６上のソフトウェアによって変換される。
【００２１】
次に、プロセッサ３２は、販売者情報１４を販売者データ２６と比較して、特価提供、製造業者のクーポンおよび他の一括提供を考慮しつつ、利用可能な販売者と適合するショッピング・リストを作成する。プロセッサ３２は、販売者出力３４が最良のあるいは好まれたオプションとなるように構築し、ユーザの所在地への近接性といった要因を考慮して携帯機器１６に販売者出力３４を送信する。実施例において、ユーザの所在地は、ユーザ・データベース２８から読み出すことができる。他の実施例において、携帯機器１６は所在地に基づくサービスシステムを利用する技術を含んでもよく、あるいは衛星利用測位システムを利用する技術を含んでもよい。システムは、販売者出力３４を構築することを目的として、ユーザの所在地を読み出すために地理的領域内の携帯機器１６の位置を決めるように構築される。
【００２２】
このシナリオのいくつかの実施例は、いまだ本出願の開示の範囲内であって、注文された製品の宅配を含むオプションを含んでもよい。他の実施例において、ショッピング・リストは、ユーザによってピックアップされる製品を収集する販売者に転送することも可能である。ユーザの好みに従って、代替となる製品を表示することもでき、それは有機食品を非有機食品で置換できるかどうか、または、ノーブランド製品をブランド製品の代用にできるかというオプションを設定してもよい。
【００２３】
近接価格比較に関する他の実施例では、販売者情報１４は携帯機器１４からサーバ２０に送信される。それに応答して、サーバ２０はユーザの地域での当該製品に対する最良の申し出を回答する。表示されている製品の価格に加えて、比較対象となる製品の価格を同様に表示することもできる。本実施例の方法は、例えば割引製品の前年のバージョンを表示するというように、特別キャンペーンとともに使ってもよい。
【００２４】
逆オークションに関する他の実施例では、携帯機器１６は、ユーザが最低可能価格で購入を希望する製品１２の販売者情報１４を読み取る。その後、携帯機器１６は、匿名のユーザ情報とともに販売者情報１４をサーバ２０に送信する。少なくとも一名の販売者が、どの製品１２がユーザによって捜されているかを知るためにサーバ２０にアクセスし、ここでユーザの身元は販売者には明かされない。それに応答して、販売者は例えば製品１２の価格を記載した販売者出力３４を生成する。その後、携帯機器１６を介して、ユーザは現在知られている販売者と関連する販売者出力３４を読み出すことができる。その後、販売者出力３４に基づいて、ユーザは販売者出力３４に基づいて取引を実行することを選択できる。
【００２５】
チケット販売に関する実施例において、映画リスト等のイベントの開催時間は、新聞、定期刊行物、ポスター、あるいは会場の店頭を含むがこれらに限定されない様々な広告場所において、販売者情報１４とともにリストすることができる。販売者情報１４は、劇場名、スクリーン番号、一日のショーの連続番号、店舗販売時点（point-of-sale)番号等の情報を含むイベント特定情報を含んでもよい。使用中は、ユーザは携帯機器１６を介して所望の映画の販売者情報１４を取得する。その後、販売者情報１４はサーバ２０に送信される。それに応答して、プロセッサ３２はショータイム情報のような販売者出力３４を特定して、その後、販売者出力３４を価格とともにユーザに送信する。ユーザは、チケットの数量を選択し、携帯機器１６を介して購入を確認する。その後、プロセッサ３２は取引を完了させ、劇場に支払を行い、販売店舗に確認を送信する。チケットは、印刷されおよび／またはユーザの引き取り可能となる。本実施例は映画チケットの購入を例示しているが、本出願の開示の方法は各種の会場へのチケット購入に同様に使用できる。
【００２６】
販売機に関する実施例において、（販売機を識別すると共に）製品１２を識別する販売者情報１４が販売機の表面に表示される。所望の製品１２のための販売者情報１４が携帯機器１６によって取得され、携帯機器１６を使用して支払が行われ、その後、所望の製品１２が販売される。本出願の開示は、複数の販売機あるいはセルフサービスアイテムのために構成される。セルフチェックアウトができる店舗では、ユーザは店舗の通路で直接に製品１２を選択しチェックアウトすることができる本実施例を使用することができるので、高価な自動チェックアウト機の使用をしなくてもよい。
【００２７】
家庭での課金支払に関する実施例において、ユーティリティ、店舗およびクレジットカード会社といった販売者は、様々な販売者情報１４をユーザに送付される請求書に印刷する。販売者情報１４は、ユーザ、ユーザのアカウント番号および請求額に対応する独自のビジネス識別コードを含む。使用中は、ユーザは携帯機器１６を用いて請求書に関する販売者情報１４を取得する。販売者情報１４が一旦サーバ２０に送信されると、様々な支払方法がプロセッサ３２によって自動的に取り扱われ（例えば、電話代の請求に加えて、クレジットカード、印刷した請求書）、電子課金支払を単純化する適切なビジネスに支払が送信される。
【００２８】
本出願の開示の概念が例示され、図面および前述の説明で詳細に説明されているが、かかる図面および説明は例示であって特性を制限するものではないものとみなされ、図示された実施例のみが示されていること、及び開示の主題の範囲内に属する全ての変更および改良は以下の請求項によって保護されることが望まれることが理解される。
【図面の簡単な説明】
【００２９】
【図１】本出願の開示の構成要素を示す図である。
【図２】図１のシステムによるデータ処理方法のフローチャートである。
【図１】
2007514985.tif 000003
【図２】
2007514985.tif 000004